(57)【要約】【課題】ナイトカバーによって開口部が閉塞された際に、安定して省エネ運転を実行することができるオープンショーケースを提供する。【解決手段】本発明は、圧縮機２６、コンデンサ４７、冷却器４６を含む冷媒回路２５と、圧縮機２６及びコンデンサ４７を空冷するためのコンデンシングファン４３を備えた低温ショーケース１において、制御装置２０は、電流センサ５６が検出する圧縮機２６の通電電流に基づき、通電電流が低い場合はコンデンシングファン４３の回転数を低下させ、圧縮機２６の通電電流が高い場合はコンデンシングファン４３の回転数を上昇させる。【選択図】図２
2010071612.tif 000002
【特許請求の範囲】
【請求項１】
圧縮機、コンデンサ、冷却器を含む冷媒回路と、前記圧縮機及びコンデンサを空冷するためのコンデンシングファンを備えた低温ショーケースにおいて、
前記圧縮機の通電電流を検出する電流検出手段と、前記圧縮機、コンデンシングファンの運転を制御する制御装置とを備え、
該制御装置は、前記電流検出手段が検出する前記圧縮機の通電電流に基づき、該通電電流が低い場合は前記コンデンシングファンの回転数を低下させ、前記圧縮機の通電電流が高い場合は前記コンデンシングファンの回転数を上昇させることを特徴とする低温ショーケース。
【請求項２】
前記冷却器と熱交換した冷気を貯蔵室の開口部に吐出して冷気エアーカーテンを形成しながら前記貯蔵室内を冷却すると共に、前記開口部を覆うナイトカバーと、前記貯蔵室内を照明する照明装置を備え、
前記制御装置は、前記照明装置が消灯された場合、前記圧縮機の通電電流に応じた前記コンデンシングファンの回転数制御を実行することを特徴とする請求項１に記載の低温ショーケース。
【発明の詳細な説明】
【技術分野】
【０００１】
本発明は、圧縮機、コンデンサ、冷却器を含む冷媒回路と、圧縮機及びコンデンサを空冷するためのコンデンシングファンを備えた低温ショーケースに関するものである。
【背景技術】
【０００２】
従来より、スーパーマーケットやコンビニエンスストアなどの店舗に設置されるショーケースには、内部に商品を陳列するための貯蔵室が形成されており、当該貯蔵室内を圧縮機やコンデンサ、冷却器などから構成される冷却装置によって、所定の温度に冷却している。大きな開口部を有するオープンショーケースでは、開口部に冷気エアーカーテンを形成し、外気の貯蔵室内への侵入を抑制しているが、多くの顧客が来店する昼間は、顧客や店員などの往来によって、外乱が生じるため、冷気が漏洩しやすくなると共に、外気が貯蔵室内に侵入する。これにより、貯蔵室内の温度を所定の冷却温度に維持することが困難となる。そのため、当該昼間などの開店時における冷却運転では、外乱による温度上昇を考慮した上で、冷却目標温度が設定されて、所定の冷却温度に維持される。
【０００３】
他方、顧客の来店が少なくなる夜間や閉店時では、顧客等の往来による外乱が減少するため、冷気の漏洩が減少する。また、オープンショーケースの前面開口部は、ナイトカバーによって閉塞されるため、外気の侵入や冷気の漏洩が抑制される。そのため、貯蔵室内における熱負荷が減少するため、圧縮機の運転率が低下し、省エネ運転を実行することができる。
【特許文献１】特開２００２−２５７４５１号公報
【発明の開示】
【発明が解決しようとする課題】
【０００４】
しかしながら、かかる場合であっても、圧縮機やコンデンサを強制的に冷却するためのコンデンシングファンは、常時、定速運転とされていたため、圧縮機の運転率の低下に伴い、圧縮機の発熱量が低減した場合であっても、通常の冷却運転と同様に運転されていた。
【０００５】
そのため、必要以上にコンデンシングファンが運転されることとなり、効果的な省エネ運転を実現できない、更には、通常、ナイトカバーにより開口部が閉塞されるのは、夜間等であることから、かかる夜間におけるコンデンシングファンの運転による騒音が問題となっていた。
【０００６】
本発明は、従来の技術的課題を解決するためになされたものであり、圧縮機の運転状況に応じてコンデンシングファンの運転を制御することで、省エネ運転の実行を図ることができる低温ショーケースを提供する。
【課題を解決するための手段】
【０００７】
本発明の低温ショーケースは、圧縮機、コンデンサ、冷却器を含む冷媒回路と、圧縮機及びコンデンサを空冷するためのコンデンシングファンを備えたものであって、圧縮機の通電電流を検出する電流検出手段と、圧縮機、コンデンシングファンの運転を制御する制御装置とを備え、制御装置は、電流検出手段が検出する圧縮機の通電電流に基づき、通電電流が低い場合はコンデンシングファンの回転数を低下させ、圧縮機の通電電流が高い場合はコンデンシングファンの回転数を上昇させることを特徴とする。
【０００８】
請求項２の発明の低温ショーケースは、上記発明において、冷却器と熱交換した冷気を貯蔵室の開口部に吐出して冷気エアーカーテンを形成しながら貯蔵室内を冷却すると共に、開口部を覆うナイトカバーと、貯蔵室内を照明する照明装置を備え、制御装置は、照明装置が消灯された場合、圧縮機の通電電流に応じたコンデンシングファンの回転数制御を実行することを特徴とする。
【発明の効果】
【０００９】
本発明の低温ショーケースは、圧縮機、コンデンサ、冷却器を含む冷媒回路と、圧縮機及びコンデンサを空冷するためのコンデンシングファンを備えたものであって、圧縮機の通電電流を検出する電流検出手段と、圧縮機、コンデンシングファンの運転を制御する制御装置とを備え、制御装置は、電流検出手段が検出する圧縮機の通電電流に基づき、通電電流が低い場合はコンデンシングファンの回転数を低下させ、圧縮機の通電電流が高い場合はコンデンシングファンの回転数を上昇させるので、圧縮機の運転状況に応じてコンデンシングファンの回転数を変更させることができる。
【００１０】
これにより、圧縮機の運転状況により変動する廃熱に応じてコンデンシングファンの回転数を制御することが可能となるため、従来のごとく、コンデンシングファンを定速運転としていた場合に比べて、消費電力量の低減を図ることができ、省エネ運転を実現することが可能となる。
【００１１】
請求項２の発明によれば、上記発明において、冷却器と熱交換した冷気を貯蔵室の開口部に吐出して冷気エアーカーテンを形成しながら貯蔵室内を冷却すると共に、開口部を覆うナイトカバーと、貯蔵室内を照明する照明装置を備え、制御装置は、照明装置が消灯された場合、圧縮機の通電電流に応じたコンデンシングファンの回転数制御を実行することにより、ナイトカバーにて開口部が覆われることで、庫内の熱負荷が小さくなるため、圧縮機の通電電流が低くなり、これに応じてコンデンシングファンの回転数を低下させることで、閉店時における静音化を実現することが可能となる。
【発明を実施するための最良の形態】
【００１２】
次に、図面に基づき本発明の実施形態を詳細に説明する。図１は本発明を適用した低温ショーケース１の斜視図、図２は図１の低温ショーケース１の縦断側面図をそれぞれ示している。
【００１３】
本実施例の低温ショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１４】
ショーケース１の断熱壁２の内側には所定間隔を存して内壁４が取り付けられると共に、当該内壁４と断熱壁２との間にはそれぞれ間隔を存して区画壁４０が取り付けられ、内壁４と区画壁４０間には、内層ダクト４１が形成されると共に、区画壁４０と断熱壁２間には外層ダクト４２が形成されている。内壁４を構成する背部内壁１０の下端前方には、底板９が断熱壁２の底壁２Ａとの間にダクト用の間隔を存して取り付けられており、これら内壁４及び底板９の内側を貯蔵室１１としている。
【００１５】
また、この貯蔵室１１内には、高さ及び取付角度が変更可能であると共に、貯蔵室１１内背部の図示しない支柱に取り付けられる一対のブラケット３１及びこれらと共に棚装置を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。また、各棚板３２の下面前部には、下方の棚板３２上に陳列される商品を照明するための照明装置（例えば蛍光灯）３６が配設されている。
【００１６】
断熱壁２の前面開口（開口部）１２の上縁にはハニカム材１３、１４がそれぞれ取り付けられた内層吹出口１６及び外層吹出口１７が並設されており、これら内層吹出口１６及び外層吹出口１７は、内層ダクト４１及び外層ダクト４２にそれぞれ連通している。尚、内層吹出口１６及び外層吹出口１７は、区画壁４０の前端において、仕切部材４５によって区画形成される。他方、開口１２の下縁には、内層吸込口１８と外層吸込口１９が並設されている。尚、内層吹出口１６の貯蔵室１１側の天面内壁８には、貯蔵室１１内を上方から照明するための照明装置（例えば蛍光灯）３９が設けられている。
【００１７】
また、断熱壁２の天壁２Ｂ前端にはパネル３３が取り付けられており、このパネル３３の内方には、パネル３３の後方に位置して照明装置（例えば蛍光灯）３７を取り付けるための照明反射板５０が取り付けられる。
【００１８】
また、断熱壁２の天壁２Ｂの前端には、下方に延出して前記外層吹出口１７の前側に位置して外層ダクト４２の前端を閉塞する吹出口外壁５２が取り付けられる。尚、この吹出口外壁５２は、下端が後側に折り返された図示しない係合部が形成されており、当該係合部によって、前記外層吹出口１７に取り付けられるハニカム材１４の前端が支持される。そして、この吹出口外壁５２の上面には、断熱壁２の天壁２Ｂの前端に位置して巻き取り式のナイトカバー５１が収容される。
【００１９】
このナイトカバー５１は、図示しない保持具に取り付けられたトーションバーの周囲に巻回されて常時巻き取られる方向に付勢されており、保持具の下面前端から下方に引き出し可能とされる。引き出された際には、全開と全閉の途中の位置で停止するストッパー機能も備えられている。なお、このストッパー機能は下方へ引く所定の操作で解除され、巻き取られるようになる。これにより、ナイトカバー５１は、保持具に引出/巻取自在とされる。
【００２０】
また、ナイトカバー５１の横幅は、実施例では、開口部１２の幅寸法と略同等とされている。ナイトカバー５１の先端（下端）には左右に張る硬質樹脂製の縁部材が取り付けられており、この縁部材の中央部には把手が形成されている。なお、この縁部材または把手に形成される固定部材は、断熱壁２の下部の前壁上端に係止部材に係脱自在に取付可能とされている。
【００２１】
一方、底板９下方後部には断熱壁２の底壁２Ａ上に内層ダクト４１及び外層ダクト４２のそれぞれに対応する庫内ファン２７、２８（図４のみ図示する）が複数台設置されている。そして、背部内壁１０後方の内層ダクト４１内には冷却装置の冷却器（図３のみ図示する）４６が縦設されている。この冷却器４６と共に冷凍サイクルを構成するＤＣ圧縮機２６（図３のみ図示する）、コンデンサ４７、コンデンシングファン４３（図３のみ図示する）等は、ショーケース１とは別置きに例えば、店舗内の機械室などに設けられている。
【００２２】
ここで、図３の冷媒回路図を参照して本実施例における冷凍サイクルを構成する冷媒回路２５について説明する。圧縮機２６の吐出側の配管４８には、コンデンサ４７が接続されている。そして、このコンデンサ４７の出口側には、減圧装置としての膨張弁２９が接続されている。この膨張弁２９は冷却器４６に接続され、冷却器４６の出口側は圧縮機２６に接続されて環状の冷凍サイクルを構成している。圧縮機２６、庫内ファン２７、２８、コンデンシングファン４３、膨張弁２９は、後述する制御装置２０に接続され、詳細は後述する如く冷却運転の制御が行われるものとする。
【００２３】
次に、図４を参照して制御装置２０について詳述する。図４はショーケース１の制御装置２０のブロック図を示している。この制御装置２０は汎用のマイクロコンピュータにより構成されており、時限手段としてのタイマ２１を備えている。そして、この制御装置２０の入力には、貯蔵室１１内の温度を検出する温度センサ２２と、電源スイッチ２３と、貯蔵室１１内を照明する照明装置３６、３７、３９の点灯／消灯を行うための照明スイッチ２４と、ＤＣ圧縮機２６への通電電流を検出する電流センサ（電流検出手段）５６などが接続されている。尚、温度センサ２２は例えば貯蔵室１１内天井部に取り付けられているものである。
【００２４】
他方、制御装置２０の出力には、ＤＣ圧縮機２６を駆動させる圧縮機モータ２６Ｍと、庫内ファン２７、２８をそれぞれ駆動させるファンモータ２７Ｍ、２８Ｍ、コンデンシングファン４３を駆動させるファンモータ４３Ｍ、電磁弁２９、照明装置３６、３７、３９が接続されている。ここで、圧縮機モータ２６Ｍは、インバータ装置５３を介して接続されており、これによって、圧縮機モータ２６Ｍの運転周波数を任意に変更可能とされている。また、庫内ファン２７、２８のファンモータ２７Ｍ、２８Ｍは、それぞれチョッパ回路などの駆動回路５４を介して接続されており、これによって、ファンモータ２７Ｍ、２８Ｍの回転数を任意に変更可能とされている。同様に、コンデンシングファン４３のファンモータ４３Ｍは、チョッパ回路などの駆動回路５５を介して接続されており、これによって、ファンモータ４３Ｍの回転数を任意に変更可能とされている。
【００２５】
以上の構成で、本発明の実施例のショーケース１の動作を説明する。先ず、電源スイッチ２３が投入されると、制御装置２０は、冷却運転を開始し、圧縮機２６、庫内ファン２７及び２８を起動する。圧縮機２６が起動されると、内層ダクト４１に縦設される冷却器４６が冷却作用を発揮する。この冷却器４６と熱交換した冷気は、庫内ファン２７の運転により、内層ダクト４１内を上昇せられ、内層吹出口１６より内層吸込口１８に向かって吹き出される。そして、内層吸込口１８から吸い込まれた冷気は再び前記庫内ファン２７によって加速される。これにより、開口部１２には、冷気エアーカーテンが形成される。
【００２６】
他方、外層ダクト４２に対応した庫内ファン２８が運転されると外層ダクト４２内の保護気流は外層ダクト４２内を上昇せられ、外層吹出口１７より外層吸込口１９に向かって吹き出される。そして、外層吸込口１９から吸い込まれた空気は再び前記庫内ファン２８によって加速される。これによって、開口部１２には、冷気エアーカーテンの外側に保護エアーカーテンが形成され、開口部１２には前後二重のエアーカーテンが形成されることとなる。そして、内側の冷気エアーカーテンの一部が貯蔵室１１内に循環されて貯蔵室１１は冷却される。
【００２７】
制御装置２０は、庫内ファン２７、２８を連続運転し、コンデンシングファン４３を最高回転数にて連続運転する。また、圧縮機２６については温度センサ２２の出力に基づき、インバータ装置５３により回転数制御される。即ち、温度センサ２２により検出される貯蔵室１１内の温度が所定の冷却設定温度（例えば+５℃）の上に設定された所定の上限温度（例えば＋６℃）以上の場合には、圧縮機２６の回転数は最高回転数として運転する。検出温度が当該上限温度よりも低く、設定温度の下に設定された所定の下限温度（例えば+４℃）より高い場合には、当該温度が高くなるにつれて圧縮機２６の回転数を上昇させ、当該温度が低くなるにつれて圧縮機２６の回転数を低下させる。即ち、温度センサ２２の検出温度の変化に応じてこれら圧縮機２６の回転数を調整する。また、検出温度が当該下限温度以下である場合には、圧縮機２６の運転を停止する。この場合、温度センサ２２により検出される貯蔵室１１内の温度が前記所定の上限温度より上昇した時点で圧縮機２６を起動し、最高回転数として運転する。
【００２８】
なお、上記実施例では、冷却設定温度のディファレンシャル２ｄｅｇの範囲で制御しているが、これに限定されるものではない。
【００２９】
これによって、貯蔵室１１内が平均＋５℃の冷蔵温度に冷却されることになる。尚、本実施例では、圧縮機２６の運転制御のみによって貯蔵室１１内の温度制御を行っているが、これに限定されるものではなく、これに加えて、電磁弁２９による開度制御を行うことにより温度制御を行っても良いものとする。
【００３０】
次に、上述した如きナイトカバー５１によって開口部１２が閉塞された際の冷却運転について図５の制御のフローチャートを参照して説明する。まず、制御装置２０は、ステップＳ１において、ＤＣ圧縮機２６の通電電流値を測定し、当該通電電流値を記憶する。その後、ステップＳ２において、制御装置２０は、照明スイッチ２４がＯＦＦとされているか否かの判断を行う。例えば、店舗が開店中である場合には、照明スイッチ２４がＯＮとされているとともに、ナイトカバー５１は保持具に巻き取られている。そのため、開口部１２が開放されている開店中の状態では、制御装置２０は、温度センサ２２により検出される貯蔵室１１内の温度に基づき、上述したような圧縮機２６の回転数制御を行い、貯蔵室１１内を所定の冷却設定温度に維持する。この場合、コンデンシングファン４３は、所定の最高回転数にて定速運転を行う。以後、ステップＳ１に戻る。
【００３１】
閉店する際には、ナイトカバー５１を保持具から引き出して降ろし、把手等を断熱壁２の前壁上端に形成される係止部材に係止させ、冷気エアーカーテンの外側で開口部１２を覆う。これにより、閉店中は、開口部１２をナイトカバー５１にて閉塞することにより、貯蔵室１１内の冷気を当該貯蔵室１１内に滞留させることができ、冷却効率の向上が図られる。
【００３２】
このとき、閉店に際して、照明スイッチ２４がＯＦＦされ、各照明装置３６、３７、３９が消灯される。そのため、ステップＳ２では、照明スイッチ２４がＯＦＦとされているため、ナイトカバー５１によって開口部１２が閉塞されたものとみなし、ステップＳ４に進み、コンデンシングファン４３の省エネ運転を実行する。
【００３３】
ステップＳ４では、制御装置２０は、照明スイッチ２４がＯＦＦとされていることから、それまで所定の最高回転数にて定速運転を行っていたコンデンシングファン４３を、圧縮機２６の通電電流値に基づく回転数制御を実行する。即ち、制御装置２０は、上記ステップＳ１において電流センサ５６により検出された圧縮機２６の通電電流値に基づき図６に示すように、コンデンシングファン４３の回転数を制御する。
【００３４】
本実施例では、圧縮機２６の通電電流値が所定の高電流値、例えば５．０Ａ以上である場合には、所定の最高回転数にて運転し、所定の低電流値、例えば３．５Ａ以下である場合には、所定の最低回転数にて運転する。また、これら高電流値と低電流値の間である場合には、図６に示すように、当該電流値に基づき決定される回転数（電流値の上昇によって所定割合にて上昇する回転数（最高回転数と最低回転数との間））にて運転する。
【００３５】
これにより、省エネ運転では、圧縮機２６の運転状況により変動する廃熱量を、運転状況によって変化する圧縮機２６の通電電流値により推定し、これによって、コンデンシングファン４３の回転数を制御することから、従来のごとくコンデンシングファンを定速運転としていた場合に比べて、消費電力量の低減を図ることができ、省エネ運転を実現することが可能となる。
【００３６】
この場合、照明装置４３が消灯されていること、ナイトカバー５１によって開口部１２が閉塞されていることにより外乱が小さくなることから、貯蔵室１１内の熱負荷が小さくなり温度上昇も小さくなるため、圧縮機２６への通電電流値に応じてコンデンシングファン４３の回転数を低下させても、支障なく貯蔵室１１内を冷却する能力を維持することが可能となる。
【００３７】
ナイトカバー５１により開口部１２が閉塞される閉店時などの夜間において、当該省エネ運転を実行することにより、騒音の発生を抑制することができ、静音化を図ることが可能となる。
【００３８】
また、これ以外にもコンデンシングファン４３の省エネ運転を行ってもよい。以下、その例として図７の制御フローチャート及び図８の制御のフローチャートを参照してそれぞれの他の実施例について説明する。
【００３９】
図７の制御フローチャートでは、上記実施例と同様にステップＳ１において、ＤＣ圧縮機２６の通電電流値を測定し、当該通電電流値を記憶する。その後、ステップＳ５において、制御装置２０は、貯蔵室１１内の温度の安定度判定を行う。
【００４０】
貯蔵室１１内の温度の安定度判定では、温度センサ２２により検出された温度の変化が所定値以内とされる安定時間が、所定時間経過したか否かにより判定する。この場合、判定に要する時間として例えば１０分間とする。そのため、ステップＳ５では、温度センサ２２により検出された温度変化が１〜３ｄｅｇのうちの所定の値以内、例えば、２ｄｅｇ以内となってから１０分（所定時間）経過したか否かを判断する。
【００４１】
上記安定時間が所定時間を経過していない場合には、圧縮機２６の運転による廃熱量が大きいものと判断し、ステップＳ６に移行し、コンデンシングファン４３を最高回転数にて連続運転する通常制御を実行する。その後、ステップＳ１に戻る。
【００４２】
ステップＳ５において上記安定時間が所定時間を経過した場合には、制御装置２０は、圧縮機２６の運転による廃熱量が低減された状況、例えば、ナイトカバー５１によって開口部１２が閉塞され、貯蔵室１１内の温度変化が安定したものとみなし、ステップＳ４に進み、上記実施例と同様にコンデンシングファン４３の省エネ運転を実行する。
【００４３】
これにより、貯蔵室１１内の温度の安定度を判断することによって、圧縮機２６の運転による廃熱量が低減されたこと、例えば、ナイトカバー５１によって開口部１２が閉塞されたことや、開口部１２が開放されていても、外部環境によって貯蔵室１１内の温度変化が安定し、圧縮機２６の運転による廃熱量が低減されている状況であることを把握し、これによって、コンデンシングファン４３をステップＳ１において電流センサ５６により検出された圧縮機２６の通電電流値に基づき、図６に示すように、コンデンシングファン４３の回転数を制御することが可能となる。
【００４４】
従って、係る省エネ運転では、圧縮機２６の運転状況により変動する廃熱量を、運転状況によって変化する圧縮機２６の通電電流値により推定し、これによって、コンデンシングファン４３の回転数を制御することから、従来のごとくコンデンシングファンを定速運転としていた場合に比べて、消費電力量の低減を図ることができ、省エネ運転を実現することが可能となる。
【００４５】
図８の制御フローチャートでは、上記実施例と同様にステップＳ１において、ＤＣ圧縮機２６の通電電流値を測定し、当該通電電流値を記憶する。その後、ステップＳ７において、制御装置２０は、圧縮機２６の運転周波数が所定の低運転周波数であるか否かの判断を行う。
【００４６】
係る実施例では、圧縮機２６の運転周波数が、所定の運転周波数、例えば、２０Ｈｚより低いか否かを判断する。圧縮機２６の運転周波数が所定の低運転周波数以上である場合には、制御装置２０は、圧縮機２６の運転による廃熱量が大きいものと判断し、上記ステップＳ６に移行し、上述した如き実施例と同様に、コンデンシングファン４３を最高回転数にて連続運転する通常制御を実行する。その後、ステップＳ１に戻る。
【００４７】
ステップＳ７において圧縮機２６の運転周波数が所定の低運転周波数より低い場合には、制御装置２０は、圧縮機２６の運転による廃熱量が低減された状況、例えば、ナイトカバー５１によって開口部１２が閉塞され、貯蔵室１１内の温度変化が安定したものとみなし、ステップＳ４に進み、上記実施例と同様にコンデンシングファン４３の省エネ運転を実行する。
【００４８】
これにより、圧縮機２６の運転周波数を判断することによって、圧縮機２６の運転による廃熱量が低減されたこと、例えば、ナイトカバー５１によって開口部１２が閉塞されたことや、開口部１２が開放されていても、外部環境によって貯蔵室１１内の温度変化が安定し、圧縮機２６の運転による廃熱量が低減されている状況であることを把握し、これによって、コンデンシングファン４３をステップＳ１において電流センサ５６により検出された圧縮機２６の通電電流値に基づき、図６に示すように、コンデンシングファン４３の回転数を制御することが可能となる。
【００４９】
従って、係る省エネ運転では、圧縮機２６の運転状況により変動する廃熱量を、運転状況によって変化する圧縮機２６の通電電流値により推定し、これによって、コンデンシングファン４３の回転数を制御することから、従来のごとくコンデンシングファンを定速運転としていた場合に比べて、消費電力量の低減を図ることができ、省エネ運転を実現することが可能となる。
【図面の簡単な説明】
【００５０】
【図１】ショーケースの斜視図である。
【図２】図１のショーケースの縦断側面図である。
【図３】冷媒回路図である。
【図４】制御装置の電気ブロック図である。
【図５】制御のフローチャートである。
【図６】圧縮機の通電電流値に対するコンデンシングファンの回転数を示す図である。
【図７】他の実施例の制御のフローチャートである。
【図８】他の実施例の制御のフローチャートである。
【符号の説明】
【００５１】
１    オープンショーケース
２    断熱壁
９    底板
１０  背部内壁
１１  貯蔵室
１２  前面開口（開口部）
１６  内層吹出口
１７  外層吹出口
２０  制御装置
２１  タイマ
２２  温度センサ
２３  電源スイッチ
２４  照明スイッチ
２５  冷媒回路
２６  圧縮機
３６、３７、３９  照明装置
４０  区画壁
４１  内層ダクト
４２  外層ダクト
４３  コンデンシングファン
４６  冷却器
４７  コンデンサ
４８  冷媒配管
５１  ナイトカバー
５３  インバータ装置
５４  駆動回路
５５  駆動回路
５６  電流センサ（電流検出手段）
【図１】
2010071612.tif 000003
【図２】
2010071612.tif 000004
【図３】
2010071612.tif 000005
【図４】
2010071612.tif 000006
【図５】
2010071612.tif 000007
【図６】
2010071612.tif 000008
【図７】
2010071612.tif 000009
【図８】
2010071612.tif 000010